(57)【要約】【課題】本体内のスペースを有効活用することにより、コンパクトで、性能向上を図ることの出来るトイレ装置を提供することを目的とする。【解決手段】本体１の前面に便座後部と重合する傾斜部１１と、この傾斜部１１に連続した垂直部２８を設けることで本体１の前面内部に一定の大きさの空間を確保することにより、乾燥装置５や大型の脱臭剤１４など、これまで配置できなかった機能部品を配置できるようにしたのもで、機能部品を合理的に配置することにより、従来にないよりコンパクトなトイレ装置を実現出来るようにしたものである。【選択図】　図２
2004068410.tif 000002
【特許請求の範囲】
【請求項１】
便器の後部上面に載置固定される本体と、前記本体に回動自在に枢支された便座からなり、前記本体の前部下方に前記便座後部と重合する傾斜部及び前記傾斜部に連続した垂直部を有することを特徴とするトイレ装置。
【請求項２】
傾斜部及び垂直部を、本体全幅に渡り設けたことを特徴とする請求項１に記載のトイレ装置。
【請求項３】
本体に送風ファンと加熱手段と乾燥風路からなる乾燥装置を内装し、垂直部に前記乾燥装置の温風の吐出口を配したことを特徴とする請求項１または２に記載のトイレ装置。
【請求項４】
乾燥装置の加熱手段を傾斜部の内側に内装したことを特徴とする請求項３に記載のトイレ装置。
【請求項５】
乾燥装置の送風ファンと加熱手段を、傾斜部の内側に添って横方向に配置したことを特徴とする請求項３に記載のトイレ装置。
【請求項６】
送風ファンは、吸込口を下方に開口したシロッコファンであることを特徴とする請求項５に記載のトイレ装置。
【請求項７】
本体に吸気ファンと脱臭剤と脱臭風路とから脱臭装置を内装し、前記脱臭剤を垂直部と所定の距離をおいて配置したことを特徴とする請求項１〜６のいずれか１項に記載のトイレ装置。
【発明の詳細な説明】
【０００１】
【発明の属する技術分野】
本発明は、便器上に設けて使用し、人体の局部洗浄機能、局部の乾燥機能、あるいは便器内の臭いを脱臭する等の機能を備えたトイレ装置に関する。
【０００２】
【従来の技術】
この種の従来のトイレ装置は、図４に示すような構成を採用している。すなわち、４１は用便後の人体の局部に温水を噴射して洗浄する局部洗浄装置４２、洗浄後の濡れた人体局部に温風を当て乾燥させる乾燥装置４３、便器４４内の臭いを吸着する脱臭装置４５を内装した本体で、便器４４の後端部上に横長に設けている。４６は便器４４上に載せた便座である。
【０００３】
そして、本体４１は局部洗浄装置４２の温水を噴射する洗浄ノズル４７を本体４１の中央部に、貯湯式であるがために比較的に大きなスペースを必要とするため単独で、前記温水を作る貯湯式温水加熱部４８を本体左側にそれぞれ配置し、乾燥装置４３と脱臭装置４５を本体右側において乾燥装置４３を後に、脱臭装置４５を前に位置させ、前後方向に並べてそれぞれ配置している。
【０００４】
乾燥装置４３は洗浄ノズル４７の近傍に開口した温風の吐出口４９と本体４１の後面に開口した吸引口５０を接続する乾燥風路４３ａに送風ファン５１と下流に吸引空気を加熱する加熱手段５２をそれぞれ設けている。脱臭装置４５は便器４４内に臨んで開口した臭いの吸気口５３と本体４１の右側面に開口した排気口５４を接続する脱臭風路４５ａに上手より脱臭剤５５、吸気ファン５６をそれぞれ配置している。
【０００５】
人体局部の洗浄は洗浄ノズル４７を点線で示す位置に突出させて温水を人体局部に噴射して行なう。また、前記洗浄により濡れた人体局部の乾燥は、送風ファン５１を駆動して空気を吸引口５０から吸い込み、加熱手段５２と熱交換して温風にし、吐出口４９から温風を吐出して人体局部にあてて行う。更に、脱臭装置４５は吸気ファン５６を駆動して便器４４内に漂う臭いを空気とともに吸気口５３から吸い込み脱臭剤５５で吸着し、清浄化された空気を排気口５４からトイレ室内に排気する。
【０００６】
図５は、乾燥装置４３部分の要部断面図であり、本体後部に設けられた吸引口５０から送風ファン５１によって吸い込まれた空気は、加熱手段５２により加熱され、傾斜部５７の内側に設けられた乾燥風路４３ｂを経由して吐出口４９から吹き出すように構成されている。なお、加熱手段５２としては、容量３００〜４００Ｗのリボンヒータを用い、傾斜部５７の手前に配置している。
【０００７】
図６は、脱臭装置４５部分の要部断面図であり、図に示すように本体の先端下部に設けられた吸気口５３から臭気を吸い込み、本体の傾斜部５７に添って内装された脱臭剤５５で臭気を吸い込んでいた。
【０００８】
【発明が解決しようとする課題】
しかしながら、前記従来のトイレ装置では、本体の傾斜部５７がほぼ本体の先端まで続いているために、この傾斜部５７の内部に脱臭剤を配置しようとすると、脱臭剤の大きさが制限されてしまい十分な脱臭能力を得るための大きさを確保できないという課題があった。
【０００９】
また、加熱手段５２としては３００〜４００Ｗのヒータを用いる必要があるが、大きさ的に傾斜部５７の手前にしか配置することが出来ないため、加熱手段５２から吐出口４９にかけての傾斜部５７の下部空間は単に乾燥風路にしか利用できなかった。
【００１０】
本発明は、前記従来の課題を解決するもので、本体内のスペースを有効活用することにより、コンパクトで、性能向上を図ることの出来るトイレ装置を提供することを目的とする。
【００１１】
【課題を解決するための手段】
前記従来の課題を解決するために本発明のトイレ装置は、本体前面に便座後部と重合する傾斜部と、この傾斜部に連続した垂直部を設けることで本体の前面内部に一定のスペースを確保することにより、乾燥装置や大型の脱臭剤など、これまで配置できなかった機能部品を配置できるようにしたのもで、機能部品を合理的に配置することにより、従来にないよりコンパクトなトイレ装置を実現出来るようにしたものである。
【００１２】
【発明の実施の形態】
請求項１に記載の発明は、便器の後部上面に載置固定される本体と、前記本体に回動自在に枢支された便座からなり、前記本体の前部下方は前記便座後部と重合する傾斜部及び前記傾斜部に連続した垂直部を有することにより、本体の前面空間にまとまった空間を確保できるので、これまで大きさ的に配置できなかった機能部品を本体の最も前面まで配置できるようになり、本体内部全体の空間を有効利用できる。
【００１３】
請求項２に記載の発明は、特に、請求項１に記載の傾斜部及び垂直部を、本体全幅に渡り設けたもので、本体の全巾に渡り本体前部の内部空間を有効利用できる。
【００１４】
請求項３に記載の発明は、特に、請求項１または２に記載のトイレ装置の本体に送風ファンと加熱手段と乾燥風路からなる乾燥装置を内装し、垂直部に前記乾燥装置の温風吹出口を配したことを特徴とするもので、乾燥の吐出口の位置をより局部に近い位置とすることが出来るので、乾燥効率を改善できる。
【００１５】
請求項４に記載の発明は、特に、請求項３に記載の乾燥装置の加熱部を傾斜部の内側に内装したことを特徴とするもので、温風の吐出口までの乾燥風路を短くすることが可能となり、傾斜部の下部空間を有効利用できる。
【００１６】
請求項５に記載の発明は、特に、請求項３に記載の乾燥装置の送風ファンと加熱手段を、傾斜部の内側に添って横方向に配置したもので、乾燥装置は送風ファンと加熱手段を本体前面に沿わせて並設しているため、本体内の狭いスペースでも配置することが可能になり、本体のコンパクト化に繋げられる。
【００１７】
請求項６に記載の発明は、特に、請求項５に記載の送風ファンを吸込口を下方に開口したシロッコファンとしたのもで、シロッコファンと本体の下ケースで形成される空間から乾燥用の空気を吸い込む構成としたので、乾燥風路を極力短くすることが可能となり、本体をコンパクトに構成できる。
【００１８】
請求項７に記載の発明は、特に、請求項１〜５のいずれかに記載のトイレ装置の本体に送風ファンと脱臭剤と脱臭風路とからなる脱臭装置を内装し、前記脱臭剤を垂直部と所定の距離をおいて配置したもので、従来に比べて大きな脱臭剤を内装することが可能となる。
【００１９】
【実施例】
以下、本発明の実施例について、図面を参照しながら説明する。
【００２０】
（実施例１）
図１は、本発明の実施例１におけるトイレ装置の要部を切欠いて示す上面図で、図２は、トイレ装置の要部を切欠いて乾燥装置を示す側面図で、図３は、トイレ装置の要部を切欠いて脱臭装置を示す側面図である。図において、１は用便後の人体局部に温水を噴射して洗う女性用と肛門用の複数の洗浄ノズル２および前記温水を作る温水加熱部３を有する局部洗浄装置４と、洗浄後の濡れた人体局部に温風を当て乾燥させる乾燥装置５と、便器６内の臭いを空気とともに吸引し、清浄化した空気を排気する脱臭装置７とを内装した横長の本体で、底板である基板１ａと上から着脱可能に被せた山形状のケース１ｂで構成し、便器６の後端部上に横長に設けている。
【００２１】
８は本体１に両端を軸支して上下方向へ回動自在に便器６上に載せた便座である。そして、本体１は局部洗浄装置４の温水を噴射する洗浄ノズル２を本体１の中央部に、一定距離を流れる間に水を所定温度に加熱する瞬間式の温水加熱部３と乾燥装置５を集中して一方である本体左側に、脱臭装置７を単独で他方である本体右側にそれぞれ配置している。
【００２２】
乾燥装置５は吸引した空気を人体局部へ送る送風ファン９と前記空気を加熱する電気ヒータ等の加熱手段１０を有し、これら送風ファン９と加熱手段１０を横方向へ並べて上記温水加熱部３の手前に配置し、かつ本体１の傾斜部１１に略平行に沿わせて狭いスペースを利用して設けている。そして、乾燥装置５は、洗浄ノズル２の近傍に開口した温風の吐出口１２と本体１の下面の吸引口（図示せず）を接続する本体１内の前側を延設した比較的に短い距離で足りる乾燥風路１３に送風ファン９と下流に加熱手段１０をそれぞれ設けている。
【００２３】
脱臭装置７は脱臭剤１４と吸気ファン１５を有し、便器６内に臨んで開口した臭いの吸気口１６と本体１の後部の凸段部１７に開口した排気口１８を接続する本体１の前側から後側へ略直線的な短い距離で延設した脱臭風路１９に上手より脱臭剤１４、吸気ファン１５をそれぞれ配置している。
【００２４】
２０は給水管２１に接続した温水加熱部３の加熱管で、流体である水を蛇行させながら流通させる複数のガイド２２を内部に設け、かつ水を加熱する電気ヒータ等の加熱手段２３を埋設している。２４は入口を加熱管２０に、出口を洗浄ノズル２の切替弁２５にそれぞれ接続した加圧ポンプで、温水加熱部３で加熱した温水を、便器６内に水圧で突出する洗浄ノズル２から噴出させる。２６は本体１の背部に設けた手洗い機能付のロータンクで、２７は局部洗浄装置４、乾燥装置５、脱臭装置７等を駆動する操作部である。
【００２５】
上記実施例において、人体局部の洗浄は次のようにして行なわれる。操作部２７を操作すると局部洗浄装置４の温水加熱部３の加熱手段２３に通電し、加圧ポンプ２４を駆動する。そして、水は加熱管２０内をガイド２２に案内されて蛇行しながら流れる間に加熱手段２３により所定温度に温められ、温水は加圧ポンプ２４に加圧されて切替弁２５の切替で女性用または肛門用のいずれかの洗浄ノズル２に流入する。洗浄ノズル２は温水圧で点線で示すように便器６内に突出して温水を人体局部に噴射して洗うのである。洗浄終了は再び操作部２７を操作して温水加熱部３の加熱手段２３と加圧ポンプ２４の通電を停止し、洗浄ノズル２は弾性体の蓄力で元の位置に戻る。
【００２６】
また、前記洗浄により濡れた人体局部の乾燥は、操作部２７を操作することにより、乾燥装置５の送風ファン９を駆動して空気を吸引口９ａから吸い込み、通電した加熱手段１０と熱交換させて温風化し、この温風を吐出口１２から吐出させ人体局部にあてて乾燥を行なうのである。更に、脱臭装置７は用便者が便座８に着座すると同時に吸気ファン１５が駆動して用便者が便座８から立ち上がり吸気ファン１５が停止するまで便器６内の空気を吸気口１６より吸気する。そして、吸気ファン１５により便器６内に漂う臭いを空気とともに吸気口１６から吸い込み脱臭剤１４で吸着し、清浄化された空気を排気口１８からトイレ室内に排気する。
【００２７】
以上のように本実施例では、本体１の前部に便座８と重合する傾斜部１１とこの傾斜部１１に連続して垂直部２８を設けて、本体前面の内部に比較的大きな空間を確保することで、乾燥装置５をこの空間の配置することが出来るので、従来に比べて本体の奥行きを短くすることが出来、よりコンパクトなトイレ装置を提供できる。
【００２８】
また、傾斜部１１と垂直部２８とで構成される空間の大きさに合わせて脱臭剤１４を大きくすることができるので、十分な脱臭能力を得ることのできる脱臭装置を内蔵できる。
【００２９】
なお、本実施例では本体１左右の一方側に乾燥装置５と前後方向に並べて配置した温水加熱部３は、水が通過する間に水を所定の温度に加熱する構成に形成しているので、温めた湯を常に一定量を溜めておく貯湯式に比べて小さな設置スペースになり、かつ洗浄ノズル２が本体１の中央部、脱臭装置７が本体１の左右の他方側に単独で配置することにより、本体１内のスペースを合理的に使用して本体１のコンパクト化を図ることができる。
【００３０】
更に、本実施例では、乾燥装置５が本体１内の前側に位置させているので、人体局部へ温風を案内する乾燥風路１３を、前記乾燥装置５を本体１内の後側に位置させた場合より短くできるとともに、流体抵抗の減少による乾燥効率の向上と、無理と無駄のない合理的な乾燥風路１３を配置できて組立ておよびメンテナンスが容易にでき、かつ安価にできる。
【００３１】
また、本実施例では乾燥装置５の送風ファン９と加熱手段１０を本体１の傾斜部１１に沿わせて並設しているので、本体１内の傾斜空間に効率よく配置することが可能になり、本体１のコンパクト化に貢献できる。
【００３２】
【発明の効果】
以上のように、請求項１〜７に記載の本発明によれば、トイレ装置の本体前面に傾斜部とこの傾斜部に連続した垂直部を設けることで本体前部にまとまった空間を確保し、この空間に機能部品を配置することが出来るので、従来あったデッドスペースをなくすことが出来、従来にないよりコンパクトなトイレ装置を実現する事が出来る。
【図面の簡単な説明】
【図１】本発明の実施例１におけるトイレ装置の要部を切欠いて示す上面図
【図２】同実施例１におけるトイレ装置の要部を切欠いて乾燥装置を示す側面図
【図３】同実施例１におけるトイレ装置の要部を切欠いて脱臭装置を示す側面図
【図４】従来の技術におけるトイレ装置の要部を切欠いて示す上面図
【図５】従来の技術におけるトイレ装置の要部を切欠いて乾燥装置を示す側面図
【図６】従来の技術におけるトイレ装置の要部を切欠いて脱臭装置を示す側面図
【符号の説明】
１　本体
５　乾燥装置
６　便器
７　脱臭装置
８　便座
９　送風ファン
９ａ　吸入口
１０　加熱手段
１１　傾斜部
１２　吐出口
１３　乾燥風路
１４　脱臭剤
１５　吸気ファン
１９　脱臭風路
２８　垂直部
【図１】
2004068410.tif 000003
【図２】
2004068410.tif 000004
【図３】
2004068410.tif 000005
【図４】
2004068410.tif 000006
【図５】
2004068410.tif 000007
【図６】
2004068410.tif 000008